(57)【要約】      （修正有）【課題】床面洗浄機底面のパッド台に取り付けられ、床面にこすり付けられることで床面洗浄をおこなうパッドについて、パッド台の近傍に洗浄液を供給するタイプとしないタイプの床面洗浄機に兼用可能とする床面洗浄機用パッドを提供する。【解決手段】円板形のパッド本体１１に、仮想円に沿う複数の弧状のスリット１２を厚み方向に貫通形成することで、パッド１０を構成する。隣接するスリット１２間の繋ぎ部１３をハサミ等で切断すると、仮想円の内側箇所が切り離され、流通孔が形成される。洗浄液供給タイプの床面洗浄機では、流通孔を通じて、洗浄液を床面へと散布可能となる。洗浄液非供給タイプの床面洗浄機では、パッド１０の繋ぎ部１３を切断せず、そのまま使用することで床面との接触面積を大きく確保できる。メーカーは、スリット１２が形成されパッド１０だけを作製し、床面洗浄機のタイプに応じて繋ぎ部１３を切断するか否かの判断は、購入者に委ねればよいことになり、在庫負担が軽減される。【選択図】図１
0003178286.tif 000002
【実用新案登録請求の範囲】
【請求項１】
床面洗浄機２０の底面に設けられた回転駆動可能なパッド台２１に取り付けられて、そのパッド台２１とともに回転しながら床面Ｆにこすり付けられることでその床面Ｆの洗浄をおこなうパッドであって、
前記床面Ｆにこすり付けられる下面および前記パッド台２１に取り付けられる上面を有し、発泡樹脂および／または不織布からなる円板形のパッド本体１１と、
前記パッド本体１１上に、その外縁をなす円と同心の仮想円に沿って間隔をあけて配置され、そのパッド本体１１の底面と上面の間を貫通する複数の弧状のスリット１２と、を備え、
隣接する前記スリット１２の間が、前記パッド本体１１の前記仮想円の内側と外側を連結する繋ぎ部１３となっている、床面洗浄機用パッド。
【請求項２】
前記繋ぎ部１３の長さは、１〜５ｍｍである請求項１に記載の床面洗浄機用パッド。
【請求項３】
前記繋ぎ部１３の数は、２〜４個である請求項１または２に記載の床面洗浄機用パッド。
【請求項４】
前記仮想円の直径は、８０〜１２０ｍｍである請求項１から３のいずれかに記載の床面洗浄機用パッド。
【請求項５】
前記パッド本体１１の下面は、無圧縮のメラミン発泡樹脂からなる請求項１から４のいずれかに記載の床面洗浄機用パッド。
【請求項６】
前記パッド本体１１の上面は、面ファスナの雄ファスナが係合可能となっている請求項１から５のいずれかに記載の床面洗浄機用パッド。
【考案の詳細な説明】
【技術分野】
【０００１】
本考案は、床面洗浄機に取り付けられるパッドに関する。
【背景技術】
【０００２】
床面を半自動的に洗浄可能な床面洗浄機が知られている。
床面洗浄機では、その底面に回転駆動可能なパッド台が設けられており、このパッド台に、樹脂発泡体や不織布などからなる円板形（扁平な円柱形）のパッドが取り付けられる。
床面洗浄機を床面に沿って走行させながら、円板形のパッドをパッド台とともにその円の中心周りに回転させて床面に擦りつけることで、床面の洗浄がおこなわれる。
【０００３】
ところで床面洗浄機には、パッド台の近傍に洗浄液を供給可能なタイプ（以下、第１タイプ）と、そうでないタイプ（以下、第２タイプ）の２タイプが存在する。
ここで、第２タイプの床面洗浄機には、洗浄液を供給する機能自体は存在するがその洗浄液をパッド台の近傍には供給できないタイプ、すなわちパッド台から離間した位置に洗浄液を供給するタイプと、そもそも洗浄液を供給する機能をまったく備えていないタイプの双方が含まれている。
【０００４】
第１タイプの床面洗浄機に用いられるパッドは、特許文献１のように、その中心箇所に洗浄液が流通可能な円形の貫通孔である流通孔が設けられており、パッド台の近傍にホース、ノズル等を介して供給された洗浄液が、この流通孔を通じて直下の床面へと散布されるようになっている。
他方、第２タイプの床面洗浄機に用いられるパッドでは、上述のような流通孔は不要であるばかりか、そのような流通孔があるとパッドと床面との接触面積が減少し、洗浄能力が低下してしまうため好ましくない。したがって、流通孔が設けられていないパッドについても、第２タイプの床面洗浄機用には好適であるとして大きな需要がある。
【先行技術文献】
【特許文献】
【０００５】
【特許文献１】特許第４８４１３９３号公報
【考案の概要】
【考案が解決しようとする課題】
【０００６】
しかし、パッドのメーカーにとってみれば、流通孔があるパッドとないパッドを個別に作製し在庫を確保しておくのは、両パッドの売れ行きのバランスに左右されるなど不確定要素が多いため、在庫負担が大きい。
【０００７】
そこで本考案の解決すべき課題は、上記第１および第２タイプのいずれのタイプの床面洗浄機にも好適に使用可能な床面洗浄機用パッドを提供することである。
【課題を解決するための手段】
【０００８】
上記した課題を解決するため、考案にかかる床面洗浄機用パッドについて、床面にこすり付けられる下面およびパッド台に取り付けられる上面を有し発泡樹脂および／または不織布からなる円板形のパッド本体と、パッド本体上にその外縁をなす円と同心の仮想円に沿って間隔をあけて配置されてパッド本体の下面と上面の間を貫通する複数の弧状のスリットとを備える構成を採用したのである。このような構成を備えた床面洗浄機用パッドは、隣接するスリットの間が、パッド本体の仮想円の内側と外側を連結する繋ぎ部となる。
【０００９】
ここで繋ぎ部の長さは、１〜５ｍｍであり、繋ぎ部の数は、２〜４個であるのが好ましい。また仮想円の直径は、８０〜１２０ｍｍであるのが好ましい。
パッド本体の下面は、無圧縮の発泡メラミン樹脂からなるのが好ましい。パッド本体の上面は、面ファスナの雄ファスナが係合可能となっているのが好ましい。
【考案の効果】
【００１０】
考案にかかる床面洗浄機用パッドを以上のように構成すると、スリット間の繋ぎ部を、ハサミを用いるなどして切断することで、パッド本体の仮想円の内側箇所を全体から切り離し取り除くことで、パッド本体に仮想円に沿った円形の貫通孔である流通孔を形成することが可能である。こうしてパッドに洗浄液が流通可能な孔を間単に形成することができ、上記第１タイプの床面洗浄機に好適なパッドとすることができる。
他方、貫通スリット間の繋ぎ部を残したまま用いることで、床面との接触面積の大きな、上記第２タイプの床面洗浄機に好適なパッドとすることもできる。
【００１１】
このようにして考案にかかるパッドでは、パッドの購入者の側で、その繋ぎ部を破断するかそのまま残すかを選択させることで、第１および第２タイプのいずれの床面洗浄機にも好適に用いることが可能となる。
したがってパッドのメーカー側では、スリットが形成された第１および第２のタイプの床面洗浄機に兼用可能なパッドだけを作製し、その在庫を確保しておけば足りることになり、在庫負担が軽減される。
【図面の簡単な説明】
【００１２】
【図１】（ａ）は実施形態のパッドの斜視図、（ｂ）は（ａ）の縦断面図
【図２】実施形態のパッドを床面洗浄機に取り付けた状態を示す一部破断側面図
【考案を実施するための形態】
【００１３】
以下、図面を参照しつつ本考案の実施形態について説明する。
【００１４】
図１に示す実施形態のパッド１０は、図２に示すように、床面洗浄機２０の底面に設けられた回転駆動可能なパッド台２１に取り付けられて用いられる。
床面洗浄機２０をそのハンドル２２で操作して車輪２３により床面Ｆに沿って走行させながら、パッド１０をパッド台２１と一緒に回転させて床面Ｆに擦りつけることで、床面Ｆの洗浄をおこなうものである。
【００１５】
実施形態のパッド１０は、図２（ａ）に示すような、パッド台２１の近傍に洗浄液を供給可能なタイプの床面洗浄機２０と、図２（ｂ）に示すような、パッド台２１の近傍に洗浄液を供給できないタイプの床面洗浄機２０のいずれにも、好適に用いることが可能である。
【００１６】
詳しくは、実施形態のパッド１０は、図１に示すように、パッド本体１１と、スリット１２と、を備える。
【００１７】
パッド本体１１は、その外面が、床面にこすり付け可能な円形の下面と、パッド台に取り付け可能な円形の上面と、下面と上面の外縁間にある円環形の周面とからなり、全体形状が円板形（扁平な円柱形）をなしている。
【００１８】
パッド本体１１の直径は特に限定されないが、大きすぎると扱いにくく、小さすぎると床面Ｆとの接触面積が少なくなって洗浄能力が不充分となるため、その均衡上３００〜４００ｍｍであるのが好ましい。
またパッド本体１１の厚みも特に限定されないが、厚すぎると扱いにくく、薄すぎると破損しやすいため、その均衡上３０〜４０ｍｍであるのが好ましい。
【００１９】
ここでパッド本体１１は、下面側の払拭部１１ａと、上面側の取り付け部１１ｂとが、積層された構造となっている。
実施形態では、払拭部１１ａは発泡樹脂からなり、取り付け部１１ｂは面ファスナからなっており、発泡樹脂シートと面ファスナシートを接着、熱融着等の適宜手段により積層一体化し、円形に打ち抜き加工するなどして作製されている。
なお図１（ａ）では、取り付け部１１ｂをパッド本体１１の上面の全面に設けているが、パッド本体１１の上面に部分的に設けてもよい。その場合には、後述するようにスリット１２の内側箇所はパッド本体１１から切り離されることがあるため、スリット１２の外側箇所に設けることが好ましい。
【００２０】
取り付け部１１ｂに用いられる面ファスナは雌ファスナであるため、図１のように取り付け部は、上向きの多数の小さなループを有している。
そして床面洗浄機２０のパッド台２１には、面ファスナの雄ファスナが貼り付けられるなどして、下向きの多数の小さなフックが設けられているのが一般的であるため（図示省略）、このフックが取り付け部１１ｂのループに係合することで、パッド１０はパッド台２１に取り付けられることになる。
取り付け部１１ｂは、面ファスナの雌ファスナに代えて、セルの脱膜処理がなされた発泡樹脂から構成してもよい。この場合、パッド台２１のフックが発泡樹脂の網目構造に係合することで、パッド１０はパッド台２１に取り付けられる。
その他、要するに取り付け部１１ｂは、パッド台２１のフックに係合可能な構成であればよく、フックが引っかかりやすい空隙の大きな不織布などでもよい。
【００２１】
払拭部１１ａの樹脂の種類、発泡度、硬度、圧縮の有無、脱膜処理の有無等は特に限定されないが、無圧縮のメラミン樹脂発泡からなるものが例示できる。無圧縮のメラミン樹脂発泡体は、脆く崩れやすいため、その全体から剥離した箇所が粉々になって研磨剤として機能し、良好な研磨作用を奏する。
払拭部１１ａは、図１では単層であるが、異種の発泡樹脂を複数層積層して構成してもよい。また、払拭部１１ａとして、発泡樹脂に替えて不織布からなるものとしてもよいし、その場合も単層に限定されることなく、異種の不織布を複数層積層して構成してもよい。さらに、払拭部１１ａを不織布と発泡樹脂とを積層することで構成してもよい。
【００２２】
スリット１２は、図１（ａ）のように、パッド本体１１の外縁を構成する円と同心上に設定される仮想円に沿って、等長かつ等間隔に三つ形成されている。各スリット１２は、図示のように円弧形をなしている。
また各スリット１２は、図１（ｂ）のように、パッド本体１１の厚み方向（上面から下面の間）を貫通して形成されている。
このようなスリット１２は、上述のように、パッド本体１１を打ち抜き加工により作製する場合には、打ち抜き刃により同時に形成するのが簡易であるため好ましい。
なおスリット１２の数は実施形態に限定されず、その長さもスリット１２相互で異なっていてもよい。
【００２３】
隣接するスリット１２の間は、パッド本体１１の仮想円の内側箇所と外側箇所とを連結する繋ぎ部１３となっている。実施形態では、繋ぎ部１３の数はスリット１２の数と同じく３つとなっている。
この繋ぎ部１３を、はさみ等を用いて切断すると、パッド本体１１の仮想円の内側箇所が外側箇所（パッド本体）から切り離される。
図１（ａ）の一点鎖線で示すように、この内側箇所を外側箇所から取り除くことで、パッド１０に仮想円と直径を同じくする円形の貫通孔である流通孔１４を形成可能となる（図２（ａ）参照）。この流通孔１４は、洗浄作業時に使用される洗浄液を流通させることが可能な大きさとなっている。
【００２４】
ここで仮想円の直径は、特に限定されないが、大きすぎると流通孔１４も大きくなりすぎてパッド１０と床面Ｆとの接触面積が大きく減少してしまい、洗浄能力が低下するおそれがある一方、小さすぎると洗浄液が流れにくくなるため、その均衡上８〜１２ｍｍであるのが好ましい。
また繋ぎ部１３の長さは特に限定されないが、長すぎるとハサミ等で切断しにくく、短すぎると洗浄作業中などに意図せずして繋ぎ部が破断してしまうおそれがあるため、その均衡上１〜５ｍｍであるのが好ましい。
同様に、繋ぎ部１３の数も特に限定されないが、多すぎると切断作業が煩雑であり、少なすぎると洗浄作業中の破断の危険が増すため、２〜４個であるのが好ましい。
【００２５】
実施形態のパッド１０の構成は以上のようであり、次に図２を参照して、その使用方法について説明する。
【００２６】
このパッド１０を、図２（ａ）のような、洗浄液を収容する洗浄タンク２４を内蔵し、付属するホース２５を通じてパッド台２１の近傍に洗浄液を供給可能なタイプの床面洗浄機２０に用いる際には、あらかじめ繋ぎ部１３を切断し流通孔１４を形成した状態で、パッド台２１へと取り付ける。
モータ２６を駆動させてパッド台２１を回転させつつ、図２（ａ）の例では、作業者がハンドル２２を握って床面洗浄機２０を手押しして、洗浄作業をおこなう。同時に、洗浄タンク２４からホース２５を介して洗浄液の供給を開始する。
パッド台２１の近傍に供給された洗浄液は、パッド台２１の周方向に並列して形成された複数の小孔２１ａ、およびパッド１０の流通孔１４を通じて、直下の床面へと散布されることになる。
【００２７】
他方このパッド１０を、図２（ｂ）のような、洗浄液を供給しないタイプの床面洗浄機２０に用いる際には、繋ぎ部１３を切断することなくそのままの状態で、パッド台２１へと取り付ける。
同様にモータ２６を駆動させてパッド台２１を回転させつつ、図２（ｂ）の例では、作業者が床面洗浄機２０の座席２７に座り、その手前のハンドル２２を操作して自走させ、洗浄作業をおこなう。
パッド１０に流通孔１４が設けられておらず、したがってパッド１０と床面Ｆとの接触面積を十分に取ることができる。
【００２８】
今回開示された実施形態はすべての点で例示であって制限的なものではないと考慮されるべきである。本考案の範囲は実用新案登録請求の範囲によって示され、これと均等の意味およびその範囲内でのすべての修正と変形を含むものであることが意図される。
【００２９】
たとえば実施形態では、床面洗浄機２０のパッド台２１に多数のフックが設けられていることを想定しており、パッド１０の構造をこのフックと係合することによりパッド台２１に取り付け可能なものとしているが、パッド台２１とパッド１０の取り付けの構造はこれに限定されない。
パッド台２１とパッド１０とを貼り付けたり、金具により固定したりしてもよい。その取り付けの態様に応じて、パッド１０の取り付け部１１ｂを省略することが可能である。
【符号の説明】
【００３０】
１０  実施形態のパッド
１１  パッド本体
１１ａ  払拭部
１１ｂ  取り付け部
１２  スリット
１３  繋ぎ部
１４  流通孔
２０  床面洗浄機
２１  パッド台
２１ａ  小孔
２２  ハンドル
２３  車輪
２４  洗浄タンク
２５  ホース
２６  モータ
２７  座席
Ｆ  床面
【図１】
0003178286.tif 000003
【図２】
0003178286.tif 000004